(57)【特許請求の範囲】
【請求項１】
入力される第１パルス幅変調信号を所定の帯域にフィルタリングし直流レベルとして出力するフィルタと，直流レベルとして出力される前記第１パルス幅変調信号を分圧して基準電位を設定する基準電位設定部と，前記基準電位と入力される第２パルス幅変調信号とを比較し，その比較結果に応じて出力電源を変化させた後に高圧電源に変換して出力する第２信号処理手段と，を備え，前記第１パルス幅変調信号の所定のデューティ比に応じて出力電位が変化することを特徴とする高圧電源装置。
【請求項２】
前記第２信号処理手段は，前記基準電位と入力される第２パルス幅変調信号とを比較する比較部と，前記比較部の比較結果に応じて出力電源をスイッチングするスイッチング部と，前記スイッチングされた出力電源を高圧電源に変換して出力する変換部と，を備えることを特徴とする，請求項１に記載の高圧電源装置。
【発明の詳細な説明】
【０００１】
【発明の属する技術分野】
本発明は電源発生装置に係り，より詳細には，電源発生装置からの出力電源を外部入力により任意に変更し得る高圧電源装置に関する。
【０００２】
【従来の技術】
図１は，従来の高圧電源装置の構成を示すブロック図である（例えば，特許文献１（米国特許第６，４２４，２０７号公報）参照）。これを参照すれば，従来の高圧電源装置は，交流（ＡＣ）高圧を出力するために，ＣＰＵ（図示せず）からパルス幅変調（ＰＷＭ；Ｐｕｌｓｅ  Ｗｉｄｔｈ  Ｍｏｄｕｌａｔｉｏｎ）信号が入力されるＰＷＭ入力部１００と，入力されたＰＷＭ信号と基準電位とを比較する比較部１０１と，比較出力信号をＶ２電位にして出力するスイッチング制御部１０２と，スイッチング制御部１０２の出力信号を高電圧信号に変換するトランス１０３と，及び高電圧に変換された信号を出力する最終出力部１０４を備えてなる。
【０００３】
ＣＰＵからＰＷＭ信号が比較部１０１に入力されれば，比較部１０１は，ＰＷＭ信号とレジスタＲ３及びＲ４により分圧された基準電位とを比較して出力する。この比較出力信号は，ＰＷＭ入力信号と同じ波形を有する。そして，スイッチング制御部１０２はこの波形を有する入力信号に応じてトランジスタＱ１のオン／オフ動作を行うことにより，Ｖ２電位の波形信号を生成する。この波形信号はトランス１０３において増幅され，最終出力端を介して出力される。
【０００４】
【特許文献１】
米国特許第６，４２４，２０７号公報
【０００５】
【発明が解決しようとする課題】
従来の高圧電源装置は，入力されるＰＷＭ信号をそのまま増幅して，例えばプリンタなどの現像ユニットに印加するものである。ＣＰＵによるデューティ比の変更は可能であるものの，レジスタＲ３及びＲ４と設定された基準電位により，ＡＣ出力電位Ｖｐ−ｐは，図２に示されたように固定されている。出力電位を調整するためにはレジスタＲ３及びＲ４に可変抵抗を接続して基準電位を任意に変えなければならず，装置が動作中である場合には，自動的にレジスタＲ３及びＲ４を変えることは不可能である。モノレーザビームプリンタの場合，ＡＣ高圧の固定出力でも現像プロセスの条件に対応可能であるが，カラーレーザビームプリンタの場合には，より複雑なプロセス環境及び条件設定を有するために，出力電位Ｖｐ−ｐを任意に変更できる電源装置が望まれていた。
【０００６】
本発明が解決しようとする技術的な課題は，例えばレーザプリンタの非接触現像方式等に用いられるＡＣ高電圧固定出力回路において，出力電位を外部の入力により任意に変化させることにより，例えばカラーレーザビームプリンタの現像濃度調節及び画質向上が図れる高圧電源装置を提供することにある。
【０００７】
【課題を解決するための手段】
上記技術的な課題を解決するために，本発明による高圧電源装置は，入力される第１ＰＷＭ信号を所定の帯域にフィルタリングして調整し，基準電位を設定する第１信号処理手段と，基準電位と入力される第２ＰＷＭ信号とを比較し，その比較結果に応じて出力電源を変化させた後に高圧電源に変換して出力する第２信号処理手段とを備えることを特徴とする。
【０００８】
本発明において，第１ＰＷＭ信号は，所定のデューティ比に調整して入力されることが望ましい。
【０００９】
また，本発明において，第１信号処理手段は，入力される第１ＰＷＭ信号を所定の帯域にフィルタリングしてＤＣレベルとして出力するフィルタと，ＤＣレベルとして出力される第１ＰＷＭ信号を分圧して基準電位を設定する基準電位設定部とを備えることが望ましい。
【００１０】
また，本発明において，第２信号処理手段は，基準電位と入力される第２ＰＷＭ信号とを比較する比較部と，この比較部の比較結果に応じて出力電源をスイッチングするスイッチング部と，スイッチングされた出力電源を高圧電源に変換して出力する変換部とを備えることが望ましい。
【００１１】
以上の構成により，出力電位を外部の入力により任意に変化させることによって，例えばカラーレーザビームプリンタの現像濃度調節及び画質向上が図れる高圧電源装置が提供される。
【００１２】
【発明の実施の形態】
以下に，本発明の実施の形態を，図面を用いて説明する。なお，本明細書及び図面において，実質的に同一の機能構成を有する構成要素については，同一の符号を付することにより重複説明を省略する。
【００１３】
図３は，本実施の形態による高圧電源装置の構成を示すブロック図である。これを参照すれば，本実施の形態による高圧電源装置は，ＣＰＵ（図示せず）から第１ＰＷＭ信号ＰＷＭ１及び第２ＰＷＭ信号ＰＷＭ２が入力されるＰＷＭ入力部３００と，第２ＰＷＭ信号ＰＷＭ２をローパスフィルタリングしてＤＣレベルとして出力するＲＣ（抵抗−キャパシタ）ローパスフィルタ３０１と，ＤＣレベルの第２ＰＷＭ信号ＰＷＭ２を分圧して基準電位を設定し，基準電位と第１ＰＷＭ信号ＰＷＭ１とを比較し，その比較結果に応じて第１ＰＷＭ信号ＰＷＭ１のピークツーピーク値を変換して出力する比較部３０２と，比較部３０２から出力される第１ＰＷＭ信号ＰＷＭ１に応じて出力電位Ｖ２をスイッチングするスイッチング制御部３０３と，スイッチング制御部３０３からの出力電位Ｖ２を高電位に変換するトランス３０４と，及び出力部３０５とを備えてなる。
【００１４】
さらに詳細に説明すれば，ＣＰＵは，高圧電源を生じさせるための第１ＰＷＭ信号ＰＷＭ１及び第２ＰＷＭ信号ＰＷＭ２をＰＷＭ入力部３００に出力する。この時，第２ＰＷＭ信号ＰＷＭ２は，基準電位の設定のために所定のデューティ比に変更されて入力される。一実施形態として，図４におけるＣＰＵは，第２ＰＷＭ信号ＰＷＭ２のデューティ比を２０％に，そして図５におけるＣＰＵは，第２ＰＷＭ信号ＰＷＭ２のデューティ比を８０％に調整してＰＷＭ入力部３００に出力する。
【００１５】
ＲＣローパスフィルタ３０１は，所定のデューティ比に変更された第２ＰＷＭ信号ＰＷＭ２を，レジスタＲ３及びキャパシタＣ１を介してローパスフィルタリングする。ＲＣローパスフィルタ３０１を介してフィルタリングされた第２ＰＷＭ信号ＰＷＭ２は，ＤＣレベルに変換されて出力される。
【００１６】
比較部３０２は，ＤＣレベルに変換された第２ＰＷＭ信号ＰＷＭ２をレジスタＲ４及びＲ５により分圧して最終基準電位を生成する。比較部３０２は，生成された基準電位と第１ＰＷＭ信号ＰＷＭ１とを比較し，その比較結果に応じて第１ＰＷＭ信号ＰＷＭ１のピークツーピーク値を変換して出力する。
【００１７】
スイッチング制御部３０３は，比較部３０２から出力されるピークツーピーク値変換済みの第１ＰＷＭ信号ＰＷＭ１に応じて，出力電位Ｖ２をスイッチングする。ピークツーピーク値変換済みの第１ＰＷＭ信号ＰＷＭ１は，トランジスタＱ１のオン／オフスイッチングを制御する制御信号となり，この制御信号に応じて出力電位Ｖ２がスイッチングされて，Ｖ２電位のパルス波形が生成される。
【００１８】
トランス３０４は，スイッチング制御部３０３からの出力電位Ｖ２のパルス波形を高電位に増幅変換し，その結果を出力部３０５を介して現像ユニットに印加する。
【００１９】
図４，図５は，第２ＰＷＭ信号ＰＷＭ２に応じて出力電位Ｖ２が変更された結果を示す波形図である。図４は，第２ＰＷＭ信号ＰＷＭ２のデューティ比が２０％である時に出力されるＡＣ高圧出力（Ｖ２ピークツーピーク値）であり，図５は，第２ＰＷＭ信号ＰＷＭ２のデューティ比が８０％である時に出力されるＡＣ高圧出力（Ｖ２ピークツーピーク値）である。これらを参照すれば，第２ＰＷＭ信号ＰＷＭ２のデューティ比を変化させることにより，出力電位Ｖ２を変更し得るということが分かる。
【００２０】
上述したように，本実施の形態によれば，比較部の基準電位を変化させることにより従来のＡＣ高圧出力回路では不可能であった出力電位の変更が可能になる。これは特に，プロセス設定及び条件が複雑なカラーレーザビームプリンタの現像濃度調節及び画質改善に一層効果的に対応できると期待され，比較部の正負両端子ともにＰＷＭ信号を印加することにより，プリンティング環境に一層柔軟に対応できる。
【００２１】
以上，添付図面を参照しながら本発明の高圧電源装置の好適な実施形態について説明したが，本発明はこれらの例に限定されない。いわゆる当業者であれば，特許請求の範囲に記載された技術的思想の範疇内において各種の変更例または修正例に想到し得ることは明らかであり，それらについても当然に本発明の技術的範囲に属するものと了解される。
【００２２】
【発明の効果】
本発明によれば，ＡＣ高電圧固定出力回路において，出力電位を外部の入力により任意に変化させることにより，例えばカラーレーザビームプリンタの現像濃度調節及び画質向上が図れる高圧電源装置が提供できた。
【図面の簡単な説明】
【図１】図１は，従来の高圧電源装置の構成を示すブロック図である。
【図２】図２は，図１の装置において固定された出力電位を示す波形図である。
【図３】図３は，本実施の形態による高圧電源装置の構成を示すブロック図である。
【図４】図４は，図３の装置において変化された出力電位を示す波形図である。
【図５】図５は，図３の装置において変化された出力電位を示す波形図である。
【符号の説明】
ＰＷＭ１    第１ＰＷＭ信号
ＰＷＭ２    第２ＰＷＭ信号
Ｒ１〜Ｒ９  レジスタ
Ｃ１      キャパシタ
Ｑ１      トランジスタ
３００    ＰＷＭ入力部
３０１    ＲＣローパスフィルタ
３０２    比較部
３０３    スイッチング制御部
３０４    トランス
３０５    出力部
【図１】
0003734474.tif 000002
【図２】
0003734474.tif 000003
【図３】
0003734474.tif 000004
【図４】
0003734474.tif 000005
【図５】
0003734474.tif 000006